Podtech/llm-jp-corpus-v4-ja_patent huggingface dataset:
(57)【要約】【課題】    市内の大中小合せて１００ヶ所の公園維持管理を実施している中で、公園灯の球切れによる電球の取替え作業で常に不便を感じておりました。公園灯の柱は丸か四角の為誰かに梯子を支えてもらわなければ電球の球を取り替えることができない。【解決手段】    既存の梯子に円角柱梯子アタッチメントを取りつける事により安全に１人でも電球を取り替えることが出きる。【選択図】    図４
2006132298.tif 000002
【特許請求の範囲】
【請求項１】
既存の梯子や脚立に簡単に取りつけられる、取り外し式の補助工具で，円柱や角柱に対応できる梯子用アタッチメント。
【請求項２】
梯子側に取り付ける部品と柱側に取り付ける部品の間にボルトを挿し込み、上下に可動する事によって梯子の設置角度を気にせず、柱面に垂直に接する様にした請求項１に記載した梯子用アタッチメント。
【請求項３】
梯子側に取り付ける面と柱側に取り付ける面のそれぞれの内側に滑り止めのラバーを張り安全且つ作業を容易にする請求項１に記載した梯子用アタッチメント。
【発明の詳細な説明】
【技術分野】
【０００１】  本発明は、ボックスクレーン車等が入れぬ場所に容易に作業ができる梯子用アタッチメント。
【背景技術】
【０００２】  従来の梯子には上段の横桟にラバーを巻いて滑り止めを施したものがある。
【発明の開示】
【発明が解決しようとする課題】
【０００３】  以上に述べた従来の梯子では、対象物であるポール等に接する面が少なく安定性に欠けるものであった。【０００４】  本発明は、このような従来の梯子段だけの構成を有していた問題を解決しようとするものであり、作業の利便性及び安定性を実現する事を目的とするものである。
【課題を解決する為の手段】
【０００５】  そして、本発明は上記目的を達成する為に付属品のアタッチメントを取り付ける事によって柱に接する面が２箇所となり、角柱、丸柱に対応できるようにしたものである。
【０００６】  又、第２の課題解決手段は、梯子の設置角度によってポールとの接する面が常に正位置（垂直）になるように、上下に可動できるように構成したものである。
【０００７】  上記第１の課題解決手段による作用は次の通りである。すなわち、既存の梯子の横桟にボルトにて固定し、内側にはクッションラバーを張りつけより一層しっかりと締め付けができる。
【０００８】  又、第２の課題解決手段による作用は、梯子の長さや設置角度により先端部がボルト芯によって自由に上下できポールの外面にスムースに接することが出きる。先端部の鉤型の金具は対象物の形に関係無く接面し、内側にすべり止めラバーを張りつけ安全性を増すことができる
【発明の効果】
【０００９】  上述したように本発明のアタッチメントは、手軽に取り外し、装着ができ利便性並びに安全性の高い製品が提供できる。
【発明の実施する為の最良の形態】
【００１０】  以下、本発明の実施の形態を図１〜図２に基づいて説明する。
図においては、１は梯子の横桟に挟み込み取りつける金物で、４ａはそれを固定する締めつけボルト。３は内側に、より安定的に固定するようラバーを張る。
【００１１】  ２は対象物に接する金物で先端はかぎ形を呈し、３は安全性を高める為ラバーを張りすべり止めを考慮する。
【００１２】  ４ｂは１と２の接続部で、ボルトを通し上下に稼動するようにする。尚角度調整を打った後締めつける。
【図面の簡単な説明】
【００１３】
【図１】  本発明の実施形態を示すアタッチメントの平面図
【図２】  同アタッチメントの側面図
【図３】  同アタッチメントの正面図（前から見た図）
【図４】  同アタッチメントの姿図
【符号の説明】
【００１３】  １    梯子横桟取りつけ金物
２    接続金物
３    すべり止めラバー
４ａ  締めつけボルト
４ｂ  芯ボルト（接続ボルト）
【図１】
2006132298.tif 000003
【図２】
2006132298.tif 000004
【図３】
2006132298.tif 000005
【図４】
2006132298.tif 000006
(57)【要約】      （修正有）【課題】人力で水路浮遊ゴミの陸揚げを行う場合、高所から水路の中に堆積した浮遊ゴミをレーキを使用し掻き揚げる作業の際、転落事故の危険性があり、また多くの労働力を必要とする。【解決手段】水路流下方向に斜めに取り付けた浮力を有するプレート（１）をガイドレール（２）に組み込み、プレート（1）は浮力により表層付近を上下に変動して、水路浮遊ゴミは、浮遊ごみポケット（３）内に流入する水路浮遊ゴミ除去装置であるとともに、格子スクリーン（６）に流着堆積したゴミを陸揚げすることにより、人力による水路の浮遊ゴミ除去を安全かつ簡単に行える、水路浮遊ゴミ除去装置を提供する。【選択図】図１
2006132292.tif 000002
【特許請求の範囲】
【請求項１】
水路流下方向に対して斜めに取り付けた浮力を有するプレート（１）とガイドレール（２）及び浮遊ゴミ堆積ポケット（３）から構成され、ガイドレール（２）に組み込まれているプレート（１）は、有する浮力により水路の水位変動に連動して、喫水深１０ｃｍを維持しながら、上下方向に可動することを特徴とする水路浮遊ゴミ除去装置。
【請求項２】
プレート（１）の上流面に沿って浮遊ゴミ堆積ポケット（３）に向かう表面水の流れが生じるため、水路を流下する浮遊ゴミが表面水流と共にゴミ堆積ポケット（３）に流入する。そして、流水は回帰口（５）から水路に戻るが、浮遊ゴミはゴミ堆積ポケット（３）内に取り付けてある格子スクリーン（４）に流着堆積し、堆積ゴミを陸揚げすることにより、水路の浮遊ゴミ除去が行えることを特徴とする請求項１記載の水路浮遊ゴミ除去装置。
【発明の詳細な説明】
【発明の詳細な説明】
【技術分野】
【０００１】  本発明は、水路浮遊ゴミの除去装置に関するものである。
【背景技術】
【０００２】  従来、この種の水路浮遊ゴミ除去手段としては、水路横断面に格子状の鋼製スクリーンを設置して、鋼製スクリーンに堆積した浮遊ゴミを水路側壁両岸上部に渡した管理用の橋梁から人力若しくは機械式除塵機で陸揚げしている。
【発明が解決しようとする課題】
【０００３】  人力で水路浮遊ゴミの陸揚げを行う場合、高所から水路の中に堆積した浮遊ゴミをレーキを使用し掻き揚げる作業が必要であるため、転落事故の危険性があり、また多くの労働力を必要とする。また、機械式除塵機は、陸揚げのための労働力を必要としないが、設備費と機械保守管理費及び運転経費を必要とし、水路管理者に金銭的負担を強いるので、設備の設置を行えないという問題点がある。
【０００４】  本発明は、人力による水路の浮遊ゴミ除去を安全簡単に行え、機械式除塵機と比較し低価格な設備費で設置可能な水路浮遊ゴミ除去装置を得ることを目的としており、さらに、当該装置の構造を提供することを目的としている。
【課題を解決するための手段】
【０００５】  上記目的を達成するために、本発明の水路浮遊ゴミ除去装置においては、水路流下方向に対して、浮力を有しかつ喫水深１０ｃｍのプレートを傾斜角６０°で設置し、ゴミ堆積ポケットのポケット流入口に向かう表層水流を発生させる。ゴミ堆積ポケットへの流入水は、回帰口から水路に戻る。
【０００６】  上記プレートの垂直方向傾斜角度は４５°とする。
【０００７】  水路浮遊ゴミは、ゴミ堆積ポケットのポケット流入口に向かう表層水流と共にゴミ堆積ポケット内に流入し、回帰口に取り付けてある格子状スクリーンに堆積する。堆積ゴミは人力にて陸揚げする。
【発明を実施するための最良の形態】  発明の形態を実施例に基づき図面を参照して説明する。【０００８】  図１平面図、図４詳細図において、ガイドレール（２）は、アンカーボルト（７）で水路側壁に固定され、ガイドレール（２）の溝にプレート（１）を組み込む。【０００９】  図１平面図、図２断面図において、ゴミ堆積ポケット（３）内に格子スクリーン（６）を設置する。
【発明の効果】
本発明は、以上説明したように構成されているので、以下に記載されるような効果を奏する。
【００１０】  格子状スクリーンに堆積したごみを人力で陸揚げする際、ゴミ堆積ポケットの水深は人が立てる程度であり、また陸上からの作業が可能なので、作業に不慣れな人や高齢者でも簡単に、また安全に作業をすることができる。
【図面の簡単な説明】
【図１】  水路浮遊ゴミの除去装置の平面図である。
【図２】  水路浮遊ゴミの除去装置の図１記載のＡ−Ａ断面図である。
【図３】  水路浮遊ゴミの除去装置の図１記載のＢ−Ｂ断面図である。
【図４】  水路浮遊ゴミの除去装置の図１記載の▲１▼部の詳細図である。
【図３】
2006132292.tif 000003
【図４】
2006132292.tif 000004
【図１】
2006132292.tif 000005
【図２】
2006132292.tif 000006
(57)【要約】【課題】  従来からの携帯型の鍵管理ケースにおいては、ケース内に幾種類ものフックを取り付け、特に警備保障会社等では人の手で個々の鍵を取ったり外したりして台帳に都度年月日を記入して台帳管理をしていた。この方法は面倒であると同時に記入漏れ、ミス、更には鍵の紛失が発生すると大事故となってしまう恐れがあった。本考案は赤外線とマイコン技術を駆使し解決したものである。【解決手段】  本考案は鍵管理ケースにおいて、特開２００３−１２００８８で開発された赤外光ＩＤタグをケース内の個々の鍵に取り付け、コントローラー部と接続して常時赤外線光パワーと信号で鍵の個別管理を行ない、便利で正確な管理を行わせる様にした鍵管理システムである。【選択図】    図１
2006132290.tif 000002
【特許請求の範囲】
【請求項１】
赤外光ＩＤタグを鍵に取り付けた錠前装置に複数個近接近で並べて取り付けた収納鍵管理箱。
【請求項２】
赤外光ＩＤタグを取り付けた鍵を錠前装置から挿抜したデータの年、月、日時刻、氏名、回数を赤外光ＩＤタグに記録する事を可能にしたことを特徴とする収納管理箱。
【請求項３】
鍵に取り付けた赤外光ＩＤタグに記録したデータを一括して赤外光ＩＤタグを用いたＩＣカードに集約した事を特徴とする収納管理箱。
【請求項４】
光ＩＤタグ付き鍵の錠前装置から挿抜したデータを閉じられた収納管理箱の外部に取り付けた液晶表示で確認できることを特徴とした収納管理箱。
【請求項５】
収納管理箱の開閉に赤外光ＩＤタグを鍵に取り付けた錠前装置を取り付けこの鍵を開く事で収納管理箱内に複数個近接近で赤外光ＩＤタグを取り付けた錠前装置の動作が可動状態になることを特徴とする収納管理箱。
【発明の詳細な説明】
【発明の詳細な説明】
【発明に属する技術分野】
【０００１】  本発明は、光通信機器、光情報処理機器、光学的分析機器、光パワー伝送機器、セキュリティ機器、光電力線搬送機器などに用いられる鍵収納管理箱および貴重品収納管理箱に関するものである。
【背景技術】
【０００２】  収納管理箱は多種の鍵を携帯型ケースの中にフックで吊り下げられる様になっており、その管理は人間の手又は目視によって管理され、都度ケース内の鍵をチェックしなければならなかった。例えば警備保障会社等では、これを手書きの伝票で管理し、鍵の紛失等が発生した場合は管理不能等の問題が発生していた。
鍵管理ケースは携帯型で出来ている為、比較的小型ではあるが、ケース内には１００種類以上の鍵が保管されており、相当の重量感のあるケースをもって現場と事務所間を移動（事務所で鍵台帳の照合を行なう為）する事は非常に不便であった。
【発明が解決しようとしている課題】
【０００３】  従来の収納管理箱による管理方法は一個一個ケース内のフックに吊り下げる方法で人の手にゆだねざるを得なく、フックから外した場合、或はフックへ戻した場合を都度事務所内の台帳に記入する方法を採っていた為非常に不便であると同時に、台帳の記入漏れが発生した場合は管理不可能となる。
本考案は管理を電子的に行ない、常にケース内の鍵の状態を外側から一目で判る。又全くミスのないシステム構成をする事である。
【課題を解決するための手段】
【０００４】  本件は従来の課題を解決する為に次の特徴を有している。
１）フックの代わりに赤外光ＩＤタグ（子機）（特開２００３−１２００８８）を用い、赤外線によるＩＤの照合装置を設置し、コントローラー（親機）で制御し個別鍵管理をする。
２）ＲＦ−ＩＤタグを使用すると電波を使用している為、相互干渉等の問題を発生し、誤動作を起こす。
３）収納管理箱の外部に液晶表示、セグメント表示を取り付けてある為、収納管理箱内部の鍵の状態（何番目の鍵が外されたままになっている等）が判る。
４）収納管理箱外部にホストコンピュータと接続可能な端子ＵＳＢコネクタが付属されており、本端子とホストコンピュータを接続する事で収納管理箱内の鍵管理は画一化され自動管理可能である。
５）収納管理箱の開閉は登録されたＩＤの照合で行い、開く事で管理キーの取り付けた錠前装置に電源が投入され、閉じる事で電源が遮断される。
６）本収納管理箱は内部の管理キーが一本でも戻し忘れ（差し忘れ）があると収納管理箱の蓋を閉めた時に一定時間ブザー音で警告する様に（或は赤ランプが点滅）なっている。
【発明を実施するための最良の形態】
【０００５】  図１に本発明の収納管理箱を示す。図２はそのシステム構成を示し、図３は個別鍵管理の為の赤外光ＩＤタグを用いた個別ＩＤ検出装置の構成を示す。
又、図４は特開２００３−１２００８８による赤外光ＩＤタグの構成とその基本原理を示す。
特開２００３−１２００８８による赤外光ＩＤタグは赤外光ＩＤタグ子機と発光ダイオード、受光ダイオード、コントローラーで成る親機で構成され、動作は親機発光ダイオードから子機ＩＤタグに呼出しコマンドと赤外線パワーを送信すると子機は光パワーで動作状態になり自分で持っているＩＤコードを同子機の発光ダイオードで親機へ返送する。
親機は子機からのＩＤコード確認すると同時にコントローラー部ＣＰＵメモリへ記録する。
この動作を各管理キーについて順次繰返し行なわれ常に収納管理箱内の管理キーの不足分或は持出した時刻が記録され、収納管理箱外側のセグメント表示器に表示され外部から一目で判る様にしたものである。
又、管理キーに収納されたデータを赤外光リーダ／ライターと、赤外光ＩＣカードに書き込まれる。さらに、ＵＳＢコネクタでホストコンピュータへ転送も可能となって、ホストコンピュータにデータが保管される。
【発明の効果】
【０００６】１）赤外光ＩＤタグを管理キー１ヶ毎に対応してある為、管理キーの状態が常に判る。
２）誰が何時何分にどの管理キーを抜いた、戻したがケース内のコントローラーに記録される。
３）収納管理箱を事務所のホストコンピュータと接続するだけでコンピュータ画面の管理表に記録され自動管理できる。
４）収納管理箱の蓋を閉めた時に管理キーの戻し忘れがあるとブザー音（又は赤ランプ点滅）で警告される為、戻し忘れが無くなる。又同時にセグメント表示により、何番目の鍵が戻されていないか一目で判る。
５）今迄の用な管理キーの一本一本のチェック、人手による伝票記入がなくなるので、非常に便利で正確な鍵管理ができる。
【図面の簡単な説明】
【０００７】
【図１】本考案の収納管理箱
【図２】本考案の収納管理箱のシステム図
【図３】管理キーの構成図
【図４】赤外光ＩＤタグ
【符号の説明】
【０００８】  １．収納管理箱
２．管理キー
３．バッテリー
４．コントローラー
５．セグメント表示
６．赤ランプ（ＬＥＤ）
７．ブザー
８．赤外光ＩＤタグセンサー部
９．ＵＳＢコネクタ
１０．赤外光ＩＤタグ
１１．発光ダイオード
１２．受光ダイオード
１３．鍵
１４．親機
１５．子機
１６．プリント基板
１７．赤外線
１８．トランクキー
１９．赤外光ＩＣカードリーダ／ライター装置
【図１】
2006132290.tif 000003
【図２】
2006132290.tif 000004
【図３】
2006132290.tif 000005
【図４】
2006132290.tif 000006
(57)【要約】      （修正有）【課題】ガスコンロ上に置かれた鍋の大きさに合わせることができる防熱カバーを提供する。【解決手段】ガスコンロとガスコンロ上に置かれた鍋との空間を扇状の部品を重ね合わせに設置して、スライドすることにより鍋の大きさに合わせて鍋に密着することができる熱の放出を防ぐカバー、カバーは必要に応じて開閉ができる熱の放出口を設けて別のカバーとを管で接続し、放出された熱を再利用して別の鍋を熱することができることを特徴とする防熱カバー。【選択図】図１
2006132912.tif 000002
【特許請求の範囲】
【請求項１】
ガスコンロとガスコンロ上に置かれた鍋との空間を扇状の部品を重ね合わせに設置して、スライドすることにより鍋の大きさに合わせて鍋に密着することができる熱の放出を防ぐカバー、カバーは必要に応じて開閉ができる熱の放出口を設けて別のカバーとを管で接続し、放出された熱を再利用して別の鍋を熱することができることを特徴とする防熱カバー。
【発明の詳細な説明】
【技術分野】
【０００１】本発明は、ガスコンロ上に置かれた鍋の大きさに合わせることができる防熱カバーに関するものである。
【背景技術】
【０００２】従来は、ガスコンロと鍋の間が開いている。
【発明の開示】
【発明が解決するための課題】
【０００３】そのために、熱が空中に放出されて熱効率が悪い。また、炎がむき出しとなっているために衣服等に燃え移る可能性がある。
【課題を解決するための手段】
【０００４】ガスコンロとガスコンロ上に置かれた鍋との空間を扇状の部品を重ね合わせに設置して、スライドすることにより鍋の大きさに合わせて鍋に密着することができる熱の放出を防ぐカバー、カバーは必要に応じて開閉ができる熱の放出口を設けて別のカバーとを管で接続し、放出された熱を再利用して別の鍋を熱することができることを特徴とする防熱カバー。
【発明の効果】
【０００５】イ  熱効率が上がり、煮炊きする時間が短縮される。
ロ  熱の放出が無くなり、料理する手が熱くなくなる。
ハ  炎がカバーされるため衣服等に燃え移ることがなくなる。
【発明を実施するための最良の形態】
【０００６】以下、本発明の実施の形態を説明する。
（イ）縦回転軸大（２）に中棒大（５）を通して受け金具（１２）に固定する。同じものを５個作る。
（ロ）縦回転軸小（３）に中棒小（６）を通して受け金具（１２）に固定する。同じものを５個作る。
（ハ）（イ）（ロ）で組み立てた物を足（１３）に固定する。
（ニ）（ハ）に大小交互にを設置位置に立ててベルト（１０）をはめる。
（ホ）（ニ）に縁カバー（９）をはめ込む。
（ヘ）横回転軸（４）にナット（１１）をはめ込み、（ホ）の中棒大（５）・中棒小（６）の先端に差込み、縁カバー（９）の内側より接続金具２（８）を差込み固定する。
（ト）上カバー１＿１（１＿１）から上カバー１＿１０（１＿１０）まで順番に接続金具１（７）を差込み、接続金具１（７）を横回転軸（４）に固定する。
（チ）点火したとき火の状態を見るために鏡（１４）を見やすい位置に設置する。
本発明は、以上の構成によりなっている。
本発明の使用は、鍋をガスコンロに置く前に上のカバーを鍋より少し大きめに開いておき、鍋を置いてからカバーが鍋に接っするまでベルトを引っ張り、縦回転軸を回転さす。
【図面の簡単な説明】
【０００７】
【図１】本発明の正面図。
【図２】本発明の垂直断面（Ａ−Ａ）図。
【符号の説明】
【０００８】    １  上カバー
１＿１  上カバー１＿１
１＿２  上カバー１＿２
１＿３  上カバー１＿３
１＿４  上カバー１＿４
１＿５  上カバー１＿５
１＿６  上カバー１＿６
１＿７  上カバー１＿７
１＿８  上カバー１＿８
１＿９  上カバー１＿９
１＿１０  上カバー１＿１０
２  縦回転軸大
３  縦回転軸小
４  横回転軸２
５  中棒大
６  中棒小
７  接続金具１
８  接続金具２
９  縁カバー
１０  ベルト
１１  ナット
１２  受け金具
１３  足
１４  鏡
【図１】
2006132912.tif 000003
【図２】
2006132912.tif 000004
(57)【要約】【課題】  永年使用しても負荷トルクによる反作用力を解消することが可能な回転トルク伝達と、同時に生じる構成されたものに有する外力モーメントの倍力機構である。【解決手段】上記課題を解決可能な本発明は、トルク発生源としての駆動用モータから回転トルクを伝達された第一の歯車と噛み合って回転トルクを受ける第二の歯車と、該歯車と噛み合って回転トルクを受ける第三の歯車と、第三の歯車に回転トルクを伝達するトルク発生源としての駆動用モータと、歯車から回転トルクを受ける出力軸とから構成される倍力機構である。【選択図】図１
2006132760.tif 000002
【特許請求の範囲】
【請求項１】
トルク発生源としての駆動用モータ２から回転トルクを伝達された第一の歯車３と噛み合って回転トルクを受ける第二の歯車４と、該歯車４と噛み合って回転トルクを受ける第三の歯車５と、第三の歯車に回転トルクを伝達するトルク発生源としての駆動用モータ１と、歯車５から回転トルクを受ける出力軸６とから構成される回転トルク伝達と、同時に生じる構成されたものに有する外力モーメント倍力機構。
【発明の詳細な説明】
【技術分野】
【０００１】  本発明は回転トルク伝達に関し、より詳しくは負荷トルクによる反作用力を解消することが可能な回転トルク伝達と、同時に生ずる機構されたものに有する外力モーメントの倍力機構。【０００２】  従来技術としては回転トルク伝達機構における負荷トルクによる反作用力を解消することを目的とした特開平５−６９９８２号広報記載の発明がある。【０００３】  上記広報記載の発明はトルク発生源からの回転トルクを受ける歯車郡の軸である駆動軸と、この駆動軸から分離されたローラ軸とを自在継手で自在に結合するように構成し、ローラ軸における負荷トルクによる反作用力を無くすようにしたものである。
【特許文献１】  特開平５−６９９８２号広報
【発明の開示】
【発明が解決しょうとする課題】
【０００４】  回転トルク伝達機構においては、その出力軸に連結された作用体に仕事をさせる場合、伝達機構に負荷トルクがかかり反作用力が発生する。この反作用力により歯車の回転軸や出力軸等が永年使用するうちに劣化し、トルク伝達機能が脆弱化し、出力効果が弱まってしまう。
【０００５】  係る難点を解消するために上述の特許文献１記載の発明のように自在継手を使用することで負荷トルクによる反作用力を無くす方法もある。ここに自在継手としてはスプリングや成型樹脂チューブを使用している。
【０００６】  ところが自在継手自体が劣化脆弱化しやすいものであり、永年使用のうちに負荷トルクによる反作用力を解消する役目を果たさなくなってしまう。
【０００７】  そこで本発明は永年使用しても負荷トルクによる反作用力を解消することが可能な回転トルク伝達を提供することを目的とする。
【課題を解決するための手段】
【０００８】  上記課題を解決可能な発明は、トルク発生源としての駆動モータから回転トルクを伝達された第一の歯車と噛み合って回転トルクを受ける第二の歯車と、該歯車と噛み合って回転トルクを受ける第三の歯車と、第三の歯車に回転トルクを伝達するトルク発生源としての駆動用モータと、歯車から回転トルクを受ける出力軸とから構成される。以下かように構成される本発明がいかに作用して課題を解決するかを図面に参照しながら述べる。
【０００９】  図１は本発明にかかる回転トルク伝達の構成を示す図である。トルク発生源であるモータ２が図中における矢印方向に回転すると、無端状ベルト体７ａによって回転トルクは歯車３に伝達され該歯車３は矢印方向（左回り）に回転する。更に該歯車３と噛み合わさった歯車４は矢印方向（右回り）に回転し、該歯車４と噛み合わさった歯車５は矢印方向（左回り）に回転する。
【００１０】  この歯車４と歯車５の噛み合わさった部分においてＰ１方向に作用力が、Ｐ２方向に反作用力が働く。この作用力、反作用力は平行に移動し歯車５の回転軸に作用力Ｐ１’、反作用力Ｐ２’として働く。
【００１１】  歯車５に伝達された回転トルクは、無端状ベルト７ｂを通じ出力軸６に伝達される。そしてこの回転トルクは出力軸６に連結された作用体９に仕事をさせる事になる。この際作用体９にはＰ３方向に作用力が、Ｐ４方向に反作用力が働く。この反作用力Ｐ４は同時に負荷トルクとしてＰ５方向の反作用力として働く。この負荷トルクであるＰ５方向の反作用力を解消するために本考案ではトルク発生源としてのモータ１を利用するのである。すなわちモータ１を図中の矢印方向（左回り）に回転させると、無端状ベルト体７ｃにより回転トルクは歯車５に伝達される。そしてこの歯車は５に伝達された回転トルクは図中Ｐ６方向の作用力として働く。このＰ６方向の作用力によりＰ５方向の反作用力を相殺解消するのである。これをさらに回転トルクを増加させる要因として、プーリと同体である５歯車と出力軸との垂線には外力モーメントが生じることで５歯車には２モータと１モータの回転トルク以上に回転トルクが倍力されれる機構である。
【００１２】  かように本発明では従来例のようなスプリングや樹脂チューブに比べ劣化しにくいモータを使い負荷トルクによる反作用力を解消している。つまり永年使用しても負荷トルクによる反作用力を解消することが可能な回転トルク伝達を提供することが可能なのである。
【発明の効果】
【００１３】  本発明は以上のように構成されていることから、永年使用しても負荷トルクによる反作用力を解消することが可能な回転トルク伝達機構を提供することが可能となる。
【発明を実施する為の最良の形態】
【００１４】  以下好ましい発明の一実施形態につき述べる。
【００１５】  図１における１及び２は駆動用モータである。歯車３、４及び５は平歯車や傘歯車等を使用する。
【００１６】  駆動用モータ２に設けられた出力プーリ２ａと、歯車３と同軸に設けられたプーリ８ａとは無端状ベルト体７ａにより連結されている。駆動用モータ１に設けられたプーリ１ａと、歯車５と同軸に設けられたプーリ８ｂとは無端状ベルト体７ｃにより連結されている。
【００１７】  プーリ８ｂと、出力軸６と同軸に設けられたプーリ８ｃとは無端状ベルト体７ｂにより連結されている。
【００１８】  作用体９と、出力軸６と同軸に設けられたプーリ８ｄとは無端状べルト体７ｄを用いて連結されている。
【００１９】  ここに無端状ベルト体７ａ、７ｂ、７ｃ及び７ｄはチェーンやゴム製ベルト等を使用している。無論これら無端状ベルト体によらず歯車の噛み合わせによってもトルクの伝達は可能なものである。
【図面の簡単な説明】
【００２０】
【図１】本発明にかかる回転トルク伝達と倍力機構の構成を示す図。
【符号の説明】
【００２１】１，２・・駆動モータ      ３，４，５・・歯車      ６・・出力軸
【図１】
2006132760.tif 000003
(57)【要約】【課題】    流体ポンプの作動の開始と停止、あるいはピストンの往復運動によって生じる、脈動に起因する、流体の逆流を防止するとともに、流体の自然還流を実現する逆止弁装置を得る。【解決手段】吸入口部に、頭部に半球状、あるいは円錐状、あるいは紡錘台状の断面を有する、きのこ状弁を設け、頭部底面とケーシング内壁間に適度な空間を確保するために、軸部にはスプリングを巻設、あるいはストッパーを溶着する。【選択図】  図１
2006132757.tif 000002
【特許請求の範囲】
【請求項１】
軸方向に自由に摺動するきのこ状弁と、
前記きのこ状弁を収納し、吸入口と、吐出口と、きのこ状弁の軸部の貫通口を有するケーシングと、
前記きのこ状弁の頭部底面とケーシング内壁の中間にあって、きのこ状弁の軸部の外周に巻設されたスプリングと、
を備える流体の逆流を防止する逆止弁装置であって、
前記きのこ状弁の弁頭は半球台状、あるいは円錐台状、あるいは紡錘台状の断面を有し、
前記きのこ状弁の弁軸の外周に巻設されたスプリングは、弁頭底面とケーシング内壁の間に一定の空間を確保するものであって、なおかつ、吸入口からの流体の自然貫流を許容する弾性値を有するもの、あるいは、吸入口と弁頭間に適度な間隙を確保する無負荷長を有するものあることを特徴とする逆止弁装置。
【請求項２】
請求項１記載の逆止弁装置であって、請求項１記載のスプリングに代えて、前記きのこ状弁の弁軸上に、弁頭底部とケーシング内壁間に所望の空間を確保するとともに、弁頭と吸入口の間に適度な間隙を確保するためのストッパーと、前記ストッパーとケーシング内壁間に、環状緩衝材を設けたものであることを特徴とする逆止弁装置。
【発明の詳細な説明】
【技術分野】
【０００１】  流体を媒体とする定温熱還流システムの配管における、流体の逆止弁に関する。
【背景技術】
【０００２】  従来、定温熱還流システムの配管においては、温度を定温に保つために、設定温度範囲を超えた場合に、冷媒等の流体を、軸流式、あるいは遠心式の回転型、あるいはシリンダーとピストンからなる往復型等の流体ポンプを作動させて貫流させているが、流体ポンプの作動時以外は流体の逆流を防止するために、逆止弁を閉状態にしている。そのため、それらポンプの作動開始点未満の設定温度範囲内の温度変化によって生じる、流体の自然還流はまったく行なわれておらず、結果として、特定区間の温度変化を加速することとなる。
【発明の開示】
【発明が解決しようとする課題】
【０００３】  流体ポンプの作動の開始と停止、あるいはピストンの往復運動によって生じる、脈動に起因する、流体の逆流を防止するとともに、流体の自然還流を実現する逆止弁装置を得る。
【課題を解決するための手段】
【０００４】  吸入口部に、頭部に半球状、あるいは円錐状、あるいは紡錘台状の断面を有する、きのこ状弁を設け、頭部底面とケーシング内壁間に適度な空間を確保するために、軸部にはスプリングを巻設、あるいはストッパーを溶着する。
【発明の効果】
【０００５】  流体ポンプの休止中であっても、逆止弁を開放し、定温熱還流システムの配管内において、温度変化による自然還流がおこり、システム全体の温度変化を緩和する。
【発明を実施するための最良の形態】
【０００６】  流体ポンプの作動に起因する、流体の脈動によって生じる流体の逆流を、きのこ状弁によって吸入口を塞いで防止し、流体ポンプの休止中は弁が自由摺動となり、定温熱還流システム配管内の流体の熱膨張による自然還流が発生して、定温熱還流システム全体の温度変化を緩和する。
【実施例１】
【０００７】  図１は本発明装置の縦断面図であって、吸入口２、及び吐出口３と、きのこ状弁４Ａ、４Ｂの軸部４Ｂの貫通口を有するケーシング１と、きのこ状弁の軸部４Ｂに巻設したスプリング５を備え、前記スプリング５はケーシング内壁と、きのこ状弁の頭部４Ａの底面との間に、一定の空間を確保する。【０００８】  前記スプリング５の、無負荷時の最大長は、吸入口ときのこ状弁の頭部４Ａの間に、所望の間隙が得られるもの、あるいは、間隙を設けずに、微弱な自然対流によっても開口する弾性値を有するものでもよい。【０００９】  きのこ状弁の頭部断面は、半球台、あるいは円錐台、あるいは紡錘台等の何れかの断面を選択し、対面するケーシング側の吸入口の断面は、選択したきのこ状弁の頭部４Ａに対応する断面とする。
【実施例２】
【００１０】  実施例１のスプリング５に代えて、ケーシング１の内壁と、きのこ状弁頭部４Ａの底面との間に、適度な空間を確保し、なおかつ、きのこ状弁頭部４Ａと吸入口２との間に、所望の間隙を確保する軸部４Ｂ上にストッパー６を溶着し、該ストッパー６とケーシング１の内壁の間に、環状の緩衝材７を設ける。【００１１】  実施例１、及び実施例２のいずれの場合であっても、きのこ状弁の軸部４Ｂが貫通するケーシング１の貫通口には、シーリングを施す必要があることはいうまでもない。
【産業上の利用可能性】
【００１２】  本発明装置は、特にバッテリーの蓄電能力の制約によって、流体ポンプの作動を最小限に抑えながら、熱還流システムの定温化を図らなければならない、バッテリーによって駆動される携行型パーソナルコンピュータの水冷システムには有効である。
【図面の簡単な説明】
【００１３】
【図１】  きのこ状弁の軸部にスプリングを巻設した本発明装置の縦断面図である。（実施例１）
【図２】  きのこ状弁の軸部にストッパーを設けた本発明装置の縦断面図である。（実施例１）
【符号の説明】
【００１４】    １  ケーシング
２  吸入口
３  吐出口
４Ａ  きのこ状弁の頭部
４Ｂ  きのこ状弁の軸部
６  ストッパー
７  緩衝材
【図１】
2006132757.tif 000003
【図２】
2006132757.tif 000004
(57)【要約】【課題】  野球帽は広く使用されているが、日よけのツバが視界を狭くしたり、時としてじゃまになったりすることがある、またツバの下面はデザイン上も重視されていなかった。【解決手段】  野球帽日よけの芯材に切り込み加工をいれることにより、ツバが上に折れ曲がるようにした。これにより、使用者が必要に応じてツバを上げることができる。またあまり重視されていなかったツバ下面にデザインを施す事により主張のできる機能を持たせることができる。【選択図】  図２
2006132066.tif 000002
【特許請求の範囲】
【請求項１】
野球帽のツバの部分に折り曲げ機構をつけ、ツバを必要に応じて上に折り曲げられるようにした帽子。
【請求項２】
折り曲げ機構の構造はツバの芯材に切り込みを入れ、野球帽の頭の曲面を利用して固定できるようにしている。
【請求項３】
折り曲げたツバは額の正面を向くため、今まであまり重視していなかった、ツバの下面をデザイン面として使えるようにした野球帽。
【請求項４】
折り曲げたツバは、必要に応じて元に戻し、普通の野球帽として使用できる。
【発明の詳細な説明】
【技術分野】
【０００１】    本発明は、ツバの構造に従来無い機能をつけ、使い勝手をよくした野球帽である。
【背景技術】
【０００２】    従来の野球帽はツバの部分が折り曲げられる構造になってなく、日差し除けとしての機能しかもっていなかった。【０００３】    ファッションとして、あるいは便宜上、無理にツバを折り曲げ上に上げる事もあるが、帽子の耐久性を著しく落とすことになる。【０００４】    日差し除けを目的としたツバは大きいため、風が強いと帽子を飛ばされるということがある。【０００５】    混雑時には前の観戦者に当たってしまうこともしばしばある。
また屋外での観戦などにおいて、後ろの観戦者の視界を遮ることもある。【０００６】    こうした問題を解決するために、ツバを折り曲げ上に上げる構造の野球帽である。【０００７】    以下、図３、図４により可動ツバ野球帽について説明する。
図においてツバは額に折り曲がり固定されるため、従来の野球帽より平面積が最小となり、ツバ下面が額から外に向く帽子となる。【０００８】    このことにより、従来あまり重視されていなかった、ツバ下面がデザインや情報を主張できるものになる。
【発明の開示】
【発明が解決しようとする課題】
【０００９】    上記の問題に対し、ツバの折り曲げ構造をもった野球帽であれば、解決が容易である。
【発明を解決するための手段】
【００１０】図１、図２の切り込み加工をしたツバの芯材を野球帽に使用することにより、可動ツバ野球帽となる。
【００１１】    この芯材は従来の帽子加工機械に縫込みができるため、帽子を生産するのに特別な技術や専用の機械を必要としなので、生産が容易である。
【発明の効果】
【００１２】    先に述べた混雑時に前の人に当たらなくなったり、さえぎっていた視界を広くしたり、耐風性が改善できる。
【００１３】    従来見えない、ツバ下面が額に来る事により、新しいデザインと使用法が広がってくる。
【００１４】    人に見せたり、見えなくしたりできることを利用した、情報発信型のデザインが考えられ、新しい需要を開拓できる。
【００１５】    上記の特徴は、広告宣伝のツールとしても新しい需要が開ける。
【００１６】    例としてスタッフ帽子として利用すれば、一目で役割や活動中、休憩中などがわかる利用法もできる。
【図面の簡単な説明】
【００１７】
【図１】  本発明の野球帽の外観図
【図２】  同野球帽のツバを折り曲げ上げた図
【図３】  同野球帽ツバの芯材における切込みの図
【図４】  芯材を折り曲げた上げた図
【符号の説明】
【００１８】１  切り込み線
２  切り込み線
３  切り込み線
４  切り込み線
【図１】
2006132066.tif 000003
【図２】
2006132066.tif 000004
【図３】
2006132066.tif 000005
【図４】
2006132066.tif 000006
(57)【要約】【課題】寝たきりあるいは自律神経失調者のための介護用防寒及び防汗足袋として介護する者には使用上便利であり、使用対象者にはかかる負担を軽減されるよう工夫または配慮が成されている介護用足袋を提供する。【解決手段】足袋全体を構成する生地に無撚糸（１）を用いて吸水性及び保温性を高めた足袋に於いて、全体を構成する生地の端部にバイアステープ（２）にて補強を施すと同時にデザイン性を高めている。また破線部に示す箇所裏面全体にタオル地を設け着用時に肌触りを良くしていると共に、止め帯（５）を設けマジックテープ甲（３）とマジックテープ乙（４）にて脱着を容易にかつ自在にしていることを最も主要な特徴としている。【選択図】図１
2006132063.tif 000002
【特許請求の範囲】
【請求項１】
足袋全体を構成する生地に無撚糸（１）を用いて吸水性及び保温性を高めた足袋に於いて、全体を構成する生地の端部にバイアステープ（２）にて補強を施すと同時にデザイン性を高めている。また破線部に示す箇所裏面全体にタオル地を設け着用時に肌触りを良くしていると共に、止め帯（５）を設けマジックテープ甲（３）とマジックテープ乙（４）にて脱着を容易にかつ自在にしていることを特徴とする寝たきりあるいは自律神経失調者のための介護用防寒及び防汗足袋。
【発明の詳細な説明】
【技術分野】
【０００１】本発明は寝たきりあるいは自律神経失調者のための介護用防寒又は、防汗を目的とした足袋に関するものである。
【背景技術】
【０００２】介護用の足袋としては、介護する者が使いやすく、また使用対象者への負担を軽減されるよう工夫された介護用足袋が見当たらないのが現状である。
【発明の開示】
【発明が解決しようとする課題】
【０００３】解決しようとする課題は寝たきりあるいは、自律神経失調者が防寒を目的として靴下等を着用する場合、従来の市販の靴下では、むくみ等の理由から締めつけによる不快感を訴える場合が多くみられ、自律神経失調者には寒いけれども多汗症であるなどの症状が多くみられると言う問題点がある。
【課題を解決しようとする課題】
【０００４】本発明は寝たきりあるいは自律神経失調者のための介護用足袋として、使用及び着用時に介護する者が使いやすく、また使用対象者への負担を軽減するよう工夫が成された介護用防寒及び、防汗足袋の提供を目的としており、介護する者と使用対象者の両者への配慮と工夫が成されていることを最も主要な特徴としている。
【発明の効果】
【０００５】本発明の寝たきりあるいは自律神経失調者のための介護用防寒及び防汗足袋に於いて、足袋全体を構成する生地に無撚糸を用いることで吸水性及び保温性を高めているため、使用対象者に締めつけ等の不快感を与えることなく防寒及び防汗の対策を講じることができる。
【０００６】また本発明の足袋全体を構成する生地の全ての端部にはバイアステープにて補強すると同時に、それらの多彩な色の組合せに於いてデザイン性を高めている。
【０００７】また止め帯を設け、止め帯の端部に設けられたマジックテープ甲と足袋本体に設けられたマジックテープ乙にて脱着を自在にすることで、介護する者が使用対象者に負担をかけることなく、容易に足袋の履き替えを行えるよう工夫を成した。
【発明を実施するための最良の形態】
【０００８】本発明の寝たきりあるいは自律神経失調者のための介護用防寒及び防汗足袋を実施するための最良の形態について図面を参照して説明する。
【実施例】
【０００９】図１は、本発明の右足用足袋の正面図であり、左足用足袋は左右対称の構成としている。【００１０】足袋全体を構成する生地に無撚糸（１）を用いることで吸水性及び保温性を高めているため、使用対象者に締めつけ等の不快感を与えることなく防寒対策を講じ、自律神経失調者にみられる、寒いけれども多汗症である等の問題を克服した。【００１１】また構成される生地の全ての端部をバイアステープ（６）にて、ほつれ防止及び、補強を施していると同時に、それらの多彩な色の組合せに於いてデザイン性を高めている。【００１２】また破線部に示す箇所裏面全体にタオル地を設け着用時に肌触りを良くし不快を軽減するよう工夫を成している。【００１３】図２は、本発明の右足用足袋の背面図であり、左足用足袋は左右対称の構成としている。【００１４】止め帯（５）を設け、止め帯（５）の端部に設けられたマジックテープ甲（３）と足袋本体に設けられたマジックテープ乙（４）にて脱着を自在にすることで、介護する者が使用対象者に負担をかけることなく、容易に足袋の履き替えを行えるよう工夫を成している。
【産業上の利用可能性】
【００１５】本発明の寝たきりあるいは自律神経失調者のための介護用防寒及び防汗足袋は、これまで説明した上記の構成から成るため、病院、老人ホーム、介護施設など幅広い利用の分野が見込まれ、介護する者には便利であり、使用対象者への負担が軽減され、配慮されたものであるため、両者への利便性が高く産業上の利用の可能性は広いものである。
【図面の簡単な説明】
【００１６】
【図１】本発明の右足用足袋の正面図である。
【図２】本発明の右足用足袋の背面図である。
【符号の説明】
【００１７】１  無撚糸
２  バイアステープ
３  マジックテープ甲
４  マジックテープ乙
５  止め帯
【図１】
2006132063.tif 000003
【図２】
2006132063.tif 000004
(57)【要約】      （修正有）【課題】太めの足もスリムで、また美しく見せるためのものをつくること。【解決手段】パンティーストッキングの外側にいくほど、柄、模様の大きさを小さくすることにより、はいた時に柄、模様が広がって見えず、足細効果をもたらした。またパンティーストッキングの生地に色の配色を工夫（グラデーション）することにより、影の部分をつくりだし、また立体感をだすことで、錯覚により足細美脚効果をもたらした。【選択図】図１
2006132064.tif 000002
【特許請求の範囲】
【請求項１】
柄や模様の大きさを外側にいくほど小さくすることにより、太っている部分の柄や模様の広がりを、見た目で感じさせないことにより足細効果。
【請求項２】
１枚のパンティーストッキングの色のトーンの配色を徐々に変えることで影をつくりだし、また立体感ももたせ、錯覚により足細美脚効果をもたらす特徴をもつパンティストッキング。2006132064.tif 000003
【発明の詳細な説明】
【技術分野】
【０００１】  本発明は、パンストに関するものであり、パンストの色の配色に工夫を加える事によって（グラデーション）、錯覚により足を細くきれいに見せる効果をねらったものである。【０００２】  パンストの外側にいくほど柄、模様を小さくすることで、はいた時におきる柄、模様の広がりを見た目で抑えることにより、足細効果をねらったものである。［背景技術］【０００３】  従来から、パンストは一色でできたものや網模様、花柄等の模様が利用されている。  お店で出回っている商品を見たなかで知っているものなので、文献などは知りません。［発明の開示］［発明が解決しようとする課題］【０００４】  しかし、従来のような形状では、足の太い方などは足を通した時に、花模様が横に広がる（特にふくらはぎなど）、網模様が横に広がる（大きなマス目になる）。また一色使いでは立体感がえられないなど、足がスリムに見えないどころか余計に太く見えてしまう（図４参照）。  本発明は、足をスリムに見せたいが、太くてなかなか思うようにいかない方の悩みを解決し、さらにきれいに見せることを課題とする。［課題を解決するための手段］【０００５】  請求項１の発明は、パンストの外側にいくほど柄、模様を小さくすることにより、はいた時の太い部分の柄、模様の広がりを見た目で感じさせないことにより足細効果を得られるパンストである。【０００６】請求項２の発明は、パンストの色の配色を少しずつ変えていく（グラデーション）ことにより影の部分をつくりだし、立体感を出していくことにより、錯覚により、足が細く、またきれいに見せる効果が得られるパンストである。【０００７】  このパンストをはいたときのふくらはぎ、ももの部分になる部分の外側に濃いめ（暗め）の色を配置し、徐々に色のトーンを上げ中心部分は明るめ（微量のラメや光パウダーなどいれる）の色を配色することにより、より影の部分との違いをだし、より立体感をつけることによる錯覚による足細美脚効果をねらったもの。［発明の効果］【０００８】  本発明により、足をスリムにまたきれいに見せたい方々のお悩みを少しでも解消し、また、美しい足の方が増えるかとおもいます。［発明を実地するための最良の形態］【０００９】  図１は、パンストの生地の色の配色に工夫（グラデーション）をこらしたことを特徴とする、足細美脚に見える効果のパンストである。同図に示すように、はいたときにふくらはぎとももの部分になるであろう部分の外側に濃いめ（暗め）の色を配色し、徐々に色のトーンを上げ（明るめ）中心部分に光パウダーのような明るい色を配色することにより、立体感をあたえ、より影の部分を強調し、錯覚による足細美脚効果をもたらすことができる。【００１０】  図２は、このパンストをはいた時の様子である。同図に示すように、ふくらはぎとももの部分の膨らんだ部分の外側より徐々に色のトーンを変えていくことにより（グラデーション効果）陰ができ、錯覚により足細美脚効果をえられる。［産業上の利用可能性］【００１１】  本発明によるパンストは、工業的に量産することが可能であるため、産業上の利用可能性を有する。
【図面の簡単な説明】
【００１２】
【図１】パンストの色の配色を工夫することにより、グラデーション効果により影をつくり立体感をも感じさせ、錯覚による足細美脚効果をだすための色の配色。
【図２】図１のパンストをはいたときのイメージ図である。
【図３】外側にいくほど柄、模様を小さくしたパンスト（花柄模様等）。
【図４】ふくよかな方が、図３のパンストをはいたときのイメージ図である。
【符号の説明】
【００１３】  １  パンストのふくらはぎ、ももに位置する部分の生地に、色を配色した部分。（濃い目又は暗め）  ２  パンストのふくらはぎ、ももに位置する部分の生地に色を配色した部分（符号１より明るめ）。  ３  足の幅の真ん中すじは（生地の中心部）一番明るめの色のトーン（光パウダーや微量のラメなどで反射効果をつけると足全体もきれい）をもってくる。  ４  実際にはいてみた時の影に見える部分。  ５  実際にはいてみた時の符号４より色のトーン高め（明るめ）。なだらかな影の効果。  ６  実際にはいてみた時の足の中心部分（一番明るい色）。  ７  パンストの外側の柄、模様を小さくしたもの（花柄等）。  ８  実際にはいてみた時の柄、模様の広がり（花柄等）。
【図１】
2006132064.tif 000004
【図２】
2006132064.tif 000005
【図３】
2006132064.tif 000006
【図４】
2006132064.tif 000007
【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
柄や模様の大きさを、はいた時広がる部分になるほど小さく配することにより、はいた時におきる柄、模様の広がりを見ためで感じさせないことで、足の太さを感じさせない錯覚による足細効果をもたらす特徴のあるパンティーストッキング（タイツも含む）。
【請求項２】
色のトーンの配色をふくらはぎ、ももなど太めの部分の生地の外側を濃いめ、暗めの色などにして中心部分（高さのある部分）に向かうにつれ、徐々に明るめの色などにし、色のトーンを上げていく（グラデーション）、前方の一番足の中心の高さのある部分の線上にラメ、光パウダーなどで色の配色効果のうえに光の反射効果の明るさをも加えるなどし、影やトップの部分を色や光の遊びによりつくりだし、足に理想的な立体感をもたせ、美しさを強調し、また太めで気になる部分は影に見せる色の配色で目立たせない効果もあり、目の錯覚により足細美脚効果をもたらす特徴をもつパンティーストッキング（タイツも含む）。
(57)【要約】【課題】  従来の婦人用ストッキングの形状は、ウエストから足の指まで足全体をカバーするように設けられたものである。しかし、ペディギュア（足指のマニキュア）などが目立たず、サンダルなどのときはストッキングのつま先が目立ち、見苦しいものだった。【解決手段】つま先２部分より足の指がストッキングから出るようにする。２部分は一箇所から四箇所に分かれている。【選択図】図１
2006132070.tif 000002
【特許請求の範囲】
【請求項１】
足の指先があいていることを特徴とするストッキング。
【請求項２】
前記指先があいているとはストッキングのつま先が一箇所から四箇所に分かれ、その部分から足の指が出ていることを特徴とする請求項１記載のストッキング。
【発明の詳細な説明】
【技術分野】
【０００１】  この発明は、婦人用ストッキングの形状に関する。
【背景技術】
【０００２】  従来の婦人用ストッキングの形状は、図２に示すように、ストッキングの本体１より２が一体となりウエストから足の指先まで全体をカバーするように設けられたものである。
【発明の開示】
【発明が解決しようとする課題】
【０００３】しかしながら、以上の技術によれば、ペディギュア（足指のマニキュア）などが目立たずまた、サンダルを履いたときはストッキングのつま先が目立ち、見苦しいものだった。
そこで、この発明は、足の指先があいており、サンダルを履くときに着用しても見苦しくない素足感覚のストッキングを提供することを課題とする。
【課題を解決するための手段】
【０００４】  以上の課題を解決するために、第一発明は、足の指がストッキングより出ていることを特徴とするストッキングである。
また、第二発明は、つま先が一箇所から四箇所に分かれていることを特徴とするストッキングである。
【発明の効果】
【０００５】  第一発明、または第二発明によれば、ストッキングのつま先が一箇所から四箇所に分かれ、足の指を出すことができるので、ペディギュアを見せて楽しむことができ、サンダル履きの際ストッキングを着用しても見苦しくない。
【発明を実施するための最良の形態】
【０００６】  この発明の一実施形態を、図１に示す。
ストッキングの本体１はナイロン製などであり、この本体１より２までは一体となっている。２部分は一箇所から四箇所に分かれており足の指を出すことができる。【０００７】「実施形態の効果」
この実施形態によれば、２部分より足の指を出すことができるのでペディキュアを見せて楽しんだり、サンダルの甲部分で２部分が隠れるので素足感覚でストッキングを着用できる。【０００８】「他の実施形態」
図１の実施形態では、２部分がサンダルの甲部分で隠れるとあるが、他の実施形態では、２部分をレース編みにするなど、わざと見せても見苦しくないよう、デザイン性があるものでも良い。
【図面の簡単な説明】
【０００９】
【図１】この発明の一実施形態を示す斜視図である。
【図２】従来技術を示す斜視図である。
【符号の説明】
【００１０】１  ストッキングウエスト部分            ２  ストッキングつま先部分
【図１】
2006132070.tif 000003
【図２】
2006132070.tif 000004
(57)【要約】【課題】  気体充填構造体の機密性を確保する。【解決手段】  気体充填構造体に於ける張り合わせ部分からの気体流出を防ぐために張り合わせ部分に使用する材料において、気体が毛細管現象により流出する最終端部を気室内に位置させる処置または繊維を有しない（毛細管現象の生じない）材料で被い気体を閉じ込め構造体内部へ気体を押し戻す張り合わせ方法を用いる。【選択図】図２
2006132062.tif 000002
【特許請求の範囲】
【請求項１】
面状材料利用の機密構造確保に関する張り合わせ方法に関する特許
面状の繊維素材（布に樹脂コーティングしたものや樹脂によって布をラミネートしたもの、ターポリン等）を用いて立体構造体を作成し、内部に気体を充填して立体構造体を作成する。その際張り合わせ部分が必ず発生するが、従来の方法だとその張り合わせ部分から僅かであるが内部に充填した気体が滲出し、最終的には立体構造体を保てなくなる。
この張り合わせ部分について本発明を使用することにより、気体が滲出するのを内部に戻すことで気体の滲出が極めて少なくなり、長時間立体構造を保つことが可能となる。
【発明の詳細な説明】
【技術分野】
【０００１】  本発明は気体を充填し形状を確保する構造体における張り合わせ部分の気密性確保に関するものである。
【背景技術】
【０００２】  気体充填構造体に於いては面状の材料を張り合わせて立体構造を作成するが、張り合わせ部分には同じ材料を用いるか、他の素材を用いたりして、接着または溶着により張り合わせ構造体を形成している。
【発明の開示】
【発明が解決しようとする課題】
【０００３】  気体充填構造体に於いては内部圧力に対抗するために、フイルム内に繊維を有する生地若しくは生地表面に樹脂膜を有する素材を使用する場合があるが、現在の接着・溶着方法１では張り合わせ素材同士がＡ，Ｂが融着し内部の繊維同士が接触する２。
内部繊維同士が接触することにより、構造体内部の気体は繊維の隙間を伝わって（毛細管現象）外部へ滲出し３、長い間に構造体を保つことができなくなる。特に内部圧力が高いものについてはこの傾向は著しい。
【発明による解決】
【０００４】  気体充填構造体の張り合わせ部分Ｂの接着時に毛細管現象により気体が滲出する両端部を折り曲げて素材の端の部分を内部に溶着させるＣ。これにより溶着部分の繊維からの毛細管現象による気体を再度内部へ導くことが可能となり、構造体からの気体滲出は極めて少なくなり１、長期間の保存が可能となる。
【図面の簡単な説明】
【０００５】
【図１】従来の溶着方法
【図２】発明による溶着方法
【図１】
2006132062.tif 000003
【図２】
2006132062.tif 000004